(57)【要約】【課題】利用者にとってより利便性のある画像を提供することができる。【解決手段】SNS用画像は、複数の撮影画像を組み合わせた組み合わせ画像と、写真シール作成装置に予め設定されている情報（地域情報、日時情報など）および入力された情報（利用者および相手の名前）から取得される所定情報と、組み合わせ画像の背景または前景となるデザイン画像とで生成される。本発明は、例えば、写真シール作成装置で生成された撮影画像を、サーバを介して携帯端末に提供する画像提供システムに適用することができる。【選択図】図２０
2014026638.tif 000002
【特許請求の範囲】
【請求項１】
利用者を被写体として撮影して撮影画像を得る画像生成装置と、前記画像生成装置において得られた前記撮影画像を管理し、前記利用者が所有する携帯端末に提供する画像提供装置とを含む画像提供システムにおいて、
前記画像生成装置は、
複数の撮影画像を組み合わせる組み合わせ手段と、
前記組み合わせ手段により組み合わされた複数の撮影画像に対して所定情報を付加する情報付加手段と、
前記組み合わせ手段により組み合わされた複数の撮影画像と前記情報付加手段により付加された所定情報とに基づいて画像を生成する画像生成手段と、
前記画像生成手段により生成された画像を含む画像に関する情報を前記画像提供装置に送信するように制御する送信制御手段と
を備え、
前記画像提供装置は、
前記画像生成装置からの画像に関する情報に基づく画像を前記携帯端末に提供する提供手段と
を備える画像提供システム。
【請求項２】
前記画像提供システムにおいて、
前記画像提供装置は、前記画像生成装置からの画像に関する情報に基づいて画像を再構築する画像再構築手段を
さらに備え、
前記提供手段は、前記画像再構築手段により再構築された画像を前記携帯端末に提供する
請求項１に記載の画像提供システム。
【請求項３】
前記画像提供システムにおいて、
前記画像提供装置は、前記画像生成装置からの画像に関する情報を管理する画像管理手段を
さらに備え、
前記画像管理手段は、前記画像生成装置からの画像に関する情報として、前記組み合わせ手段により組み合わされた複数の撮影画像、前記情報付加手段により付加された所定情報、および前記組み合わせ手段に組み合わされた複数の撮影画像の背景または前景となる画像を管理する
請求項１または２に記載の画像提供システム。
【請求項４】
前記画像提供システムにおいて、
前記画像提供装置は、前記携帯端末からの指示に対応して、前記画像生成装置からの画像に関する情報に基づく画像を編集する編集手段を
さらに備え、
前記提供手段は、前記編集手段により編集された画像を前記携帯端末に提供する
請求項１乃至３のいずれかに記載の画像提供システム。
【請求項５】
前記画像提供システムにおいて、
前記提供手段は、前記画像生成装置からの画像に関する情報に基づく画像に対して、コミュニティ用に利用するためのボタンを生成して、前記携帯端末に提供する
請求項１乃至４のいずれかに記載の画像提供システム。
【請求項６】
前記画像提供システムにおいて、
前記画像生成装置は、予め入力されている情報または予め設定されている情報から、所定情報を取得する情報取得手段を
さらに備え、
前記情報付加手段は、前記組み合わせ手段により組み合わされた複数の撮影画像に対して前記情報取得手段により取得された所定情報を付加する
請求項１乃至５のいずれかに記載の画像提供システム。
【請求項７】
前記画像提供システムにおいて、
前記画像生成装置は、ユーザの選択に応じて、前記情報付加手段により付加された所定情報のうちのいずれかの情報を除去し、または再選択する再選択手段を
さらに備え、
前記画像生成手段は、前記組み合わせ手段により組み合わされた複数の撮影画像と前記再選択手段により再選択された所定情報とに基づいて画像を生成する
請求項１乃至６のいずれかに記載の画像提供システム。
【請求項８】
前記画像提供システムにおいて、
前記画像生成装置は、利用者からの指示に応じて、前記画像生成手段により生成された画像を編集する画像編集手段を
さらに備え、
前記送信制御手段は、前記画像編集手段により編集された画像を含む画像に関する情報を前記画像提供装置に送信するように制御する
請求項１乃至７のいずれかに記載の画像提供システム。
【請求項９】
利用者を被写体として撮影して撮影画像を得る画像生成装置と、前記画像生成装置において得られた前記撮影画像を管理し、前記利用者が所有する携帯端末に提供する画像提供装置とを含む画像提供システムの画像提供方法において、
前記画像生成装置が、
複数の撮影画像を組み合わせ、
組み合わされた複数の撮影画像に対して所定情報を付加し、
組み合わされた複数の撮影画像と前記情報付加手段により付加された所定情報とに基づいて画像を生成し、
生成された画像に関する情報を前記画像提供装置に送信するように制御し、
前記画像提供装置は、
前記画像生成装置からの画像を含む画像に関する情報に基づく画像を前記携帯端末に提供する
ステップを含む画像提供方法。
【請求項１０】
利用者を被写体として撮影して得られる複数の撮影画像を組み合わせる組み合わせ手段と、
前記組み合わせ手段により組み合わされた複数の撮影画像に対して所定情報を付加する情報付加手段と、
前記組み合わせ手段により組み合わされた複数の撮影画像と前記情報付加手段により付加された所定情報とに基づいて画像を生成する画像生成手段と、
前記画像生成手段により生成された画像を含む画像に関する情報を前記画像提供装置に送信するように制御する送信制御手段と
を備える画像生成装置。
【発明の詳細な説明】
【技術分野】
【０００１】
本発明は、画像提供システムおよび方法、並びに画像生成装置に関し、特に、利用者にとってより利便性のある画像を提供することができるようにする画像提供システムおよび方法、並びに画像生成装置に関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って見栄えのよい画像に編集して、編集後の画像である編集済み画像をシール紙に印刷して排出したり、携帯端末に送信したりするという流れになる。
【０００４】
近年、写真シール機においては、複数の撮影画像を組み合わせた（コラージュした）画像を１枚生成することができたり、さらに、出来上がった１枚の組み合わせた画像を携帯端末に送信することが主流となってきている（特許文献１乃至３参照）。
【先行技術文献】
【特許文献】
【０００５】
【特許文献１】特開２０１１−０５３２４９号公報
【特許文献２】特許２０１１−０１０１５０号公報
【特許文献３】特許２０１２−０４２７３４号公報
【発明の概要】
【発明が解決しようとする課題】
【０００６】
しかしながら、上述した特許文献１乃至３の写真シール機においては、写真シール機側で生成した組み合わせ画像が携帯端末に送信されるだけであり、携帯端末やパーソナルコンピュータでさらに流用できない画像であった。すなわち、携帯端末でさらにコミュニティなどで利用できる画像ではなかった。
【０００７】
また、携帯端末やパーソナルコンピュータにおいて画像の組み合わせ変更もできなかった。
【０００８】
本発明は、このような状況に鑑みてなされたものであり、利用者にとってより利便性のある画像を提供することができるようにするものである。
【課題を解決するための手段】
【０００９】
本発明の一側面の画像提供システムは、利用者を被写体として撮影して撮影画像を得る画像生成装置と、前記画像生成装置において得られた前記撮影画像を管理し、前記利用者が所有する携帯端末に提供する画像提供装置とを含む画像提供システムにおいて、前記画像生成装置は、複数の撮影画像を組み合わせる組み合わせ手段と、前記組み合わせ手段により組み合わされた複数の撮影画像に対して所定情報を付加する情報付加手段と、前記組み合わせ手段により組み合わされた複数の撮影画像と前記情報付加手段により付加された所定情報とに基づいて画像を生成する画像生成手段と、前記画像生成手段により生成された画像に関する情報を前記画像提供装置に送信するように制御する送信制御手段とを備え、前記画像提供装置は、前記画像生成装置からの画像を含む画像に関する情報に基づく画像を前記携帯端末に提供する提供手段とを備える。
【００１０】
前記画像提供システムにおいて、前記画像提供装置は、前記画像生成装置からの画像に関する情報に基づいて画像を再構築する画像再構築手段をさらに備え、前記提供手段は、前記画像再構築手段により再構築された画像を前記携帯端末に提供することができる。
【００１１】
前記画像提供システムにおいて、前記画像提供装置は、前記画像生成装置からの画像に関する情報を管理する画像管理手段をさらに備え、前記画像管理手段は、前記画像生成装置からの画像に関する情報として、前記組み合わせ手段により組み合わされた複数の撮影画像、前記情報付加手段により付加された所定情報、および前記組み合わせ手段に組み合わされた複数の撮影画像の背景または前景となる画像を管理することができる。
【００１２】
前記画像提供システムにおいて、前記画像提供装置は、前記携帯端末からの指示に対応して、前記画像生成装置からの画像に関する情報に基づく画像を編集する編集手段をさらに備え、前記提供手段は、前記画像再構築手段により再構築された画像または前記編集手段により編集された画像を前記携帯端末に提供することができる。
【００１３】
前記画像提供システムにおいて、前記提供手段は、前記画像生成装置からの画像に関する情報に基づく画像に対して、コミュニティ用に利用するためのボタンを生成して、前記携帯端末に提供することができる。
【００１４】
前記画像提供システムにおいて、前記画像生成装置は、予め入力されている情報または予め設定されている情報から、所定情報を取得する情報取得手段をさらに備え、前記情報付加手段は、前記組み合わせ手段により組み合わされた複数の撮影画像に対して前記情報取得手段により取得された所定情報を付加することができる。
【００１５】
前記画像提供システムにおいて、前記画像生成装置は、ユーザの選択に応じて、前記情報付加手段により付加された所定情報のうちのいずれかの情報を除去し、または再選択する再選択手段をさらに備え、前記画像生成手段は、前記組み合わせ手段により組み合わされた複数の撮影画像と前記再選択手段により再選択された所定情報とに基づいて画像を生成することができる。
【００１６】
前記画像提供システムにおいて、前記画像生成装置は、利用者からの指示に応じて、前記画像生成手段により生成された画像を編集する画像編集手段をさらに備え、前記送信制御手段は、前記画像編集手段により編集された画像を含む画像に関する情報を前記画像提供装置に送信するように制御することができる。
【００１７】
本発明の一側面の画像提供方法は、利用者を被写体として撮影して撮影画像を得る画像生成装置と、前記画像生成装置において得られた前記撮影画像を管理し、前記利用者が所有する携帯端末に提供する画像提供装置とを含む画像提供システムの画像提供方法において、前記画像生成装置が、複数の撮影画像を組み合わせ、組み合わされた複数の撮影画像に対して所定情報を付加し、組み合わされた複数の撮影画像と前記情報付加手段により付加された所定情報とに基づいて画像を生成し、生成された画像を含む画像に関する情報を前記画像提供装置に送信するように制御し、前記画像提供装置は、前記画像生成装置からの画像に関する情報に基づく画像を前記携帯端末に提供するステップを含む。
【００１８】
本発明の一側面においては、画像生成装置により、利用者を被写体として撮影して得られる複数の撮影画像が組み合わせられ、組み合わされた複数の撮影画像に対して所定情報が付加され、組み合わされた複数の撮影画像と付加された所定情報とに基づいて画像が生成される。そして、生成された画像を含む画像に関する情報を画像生成装置に送信するように制御される。さらに、画像提供装置により、画像生成装置からの画像に関する情報に基づく画像が携帯端末に提供される。
【００１９】
本発明の他の側面の画像生成装置は、利用者を被写体として撮影して得られる複数の撮影画像を組み合わせる組み合わせ手段と、前記組み合わせ手段により組み合わされた複数の撮影画像に対して所定情報を付加する情報付加手段と、前記組み合わせ手段により組み合わされた複数の撮影画像と前記情報付加手段により付加された所定情報とに基づいて画像を生成する画像生成手段と、前記画像生成手段により生成された画像を含む画像に関する情報を前記画像提供装置に送信するように制御する送信制御手段とを備える。
【００２０】
本発明の他の側面においては、利用者を被写体として撮影して得られる複数の撮影画像が組み合わせられ、組み合わされた複数の撮影画像に対して所定情報が付加され、組み合わされた複数の撮影画像と付加された所定情報とに基づいて画像が生成される。そして、生成された画像に関する情報を画像生成装置に送信するように制御される。
【発明の効果】
【００２１】
本発明によれば、利用者にとってより利便性のある画像を提供することができる。
【図面の簡単な説明】
【００２２】
【図１】本発明の一実施形態に係る画像提供システムの構成例を示す図である。
【図２】写真シール作成装置の外観の構成例を示す斜視図である。
【図３】写真シール作成装置の外観を他の角度からみた斜視図である。
【図４】利用者の移動について説明する図である。
【図５】撮影部の構成例を示す図である。
【図６】背景部の構成例を示す図である。
【図７】編集部の構成例を示す図である。
【図８】事後接客部の構成例を示す図である。
【図９】写真シール作成装置の内部の構成例を示すブロック図である。
【図１０】制御部の詳細な構成例を示す機能ブロック図である。
【図１１】編集処理部および事後接客処理部の詳細な構成例を示す機能ブロック図である。
【図１２】管理サーバの構成例を示すブロック図である。
【図１３】管理サーバの機能構成例を示すブロック図である。
【図１４】携帯端末の構成例を示すブロック図である。
【図１５】写真シール作成装置のSNS用画像生成編集処理について説明するフローチャートである。
【図１６】編集画面の一部の例を示す図である。
【図１７】編集画面の一部の他の例を示す図である。
【図１８】SNS用画像の構成例を示す図である。
【図１９】SNS用画像編集部の他の例を示す図である。
【図２０】SNS用画像の例を示す図である。
【図２１】SNS用画像の他の例を示す図である。
【図２２】デザインの異なるSNS用画像の例を示す図である。
【図２３】メンテナンス画面の例を示す図である。
【図２４】画像提供システムの処理について説明するフローチャートである。
【図２５】管理サーバが提供するサイトの表示画面の例を示す図である。
【図２６】他サイトへのSNS用画像の投稿記事の例を示す図である。
【図２７】シール画風画像の生成方法について説明する図である。
【図２８】シール画風画像の例を示す図である。
【図２９】他サイトへのシール画風画像の投稿方法を説明する図である。
【図３０】管理サーバが提供するサイトの表示画面の他の例を示す図である。
【図３１】管理サーバが提供するサイトの表示画面の他の例を示す図である。
【図３２】管理サーバが提供するサイトの表示画面の他の例を示す図である。
【図３３】管理サーバが提供するサイトの機能について説明する図である。
【図３４】管理サーバが提供するサイトの機能について説明する図である。
【図３５】管理サーバが提供するサイトの機能について説明する図である。
【発明を実施するための形態】
【００２３】
以下、本発明を適用した具体的な実施の形態について、図面を参照しながら詳細に説明する。
【００２４】
［画像提供システムの構成］
図１は、本発明の一実施形態に係る画像提供システムの構成例を示す図である。
【００２５】
図１の画像提供システムは、写真シール作成装置１、携帯端末２、および管理サーバ３から構成される。携帯端末２は、写真シール作成装置１が提供するゲームを行いシール紙を受け取る利用者が携帯している携帯電話機などの端末であり、管理サーバ３は、例えば写真シール作成装置１のメーカが管理するサーバである。
【００２６】
写真シール作成装置１と管理サーバ３との間、携帯端末２と管理サーバ３との間の情報の送受信は、インターネットなどのネットワークを介して行われる。
【００２７】
写真シール作成装置１は、画像生成装置として、利用者を被写体として撮影することで撮影画像を生成し、管理サーバ３に送信する。管理サーバ３は、画像提供装置として、写真シール作成装置１からの撮影画像を管理し、携帯端末２に提供する。つまり、写真シール作成装置１は、撮影によって得られた撮影画像を、管理サーバ３を介して携帯端末２に提供する。図１の画像提供システムにおける一連の処理については、図２４のフローチャートを参照して後述する。
【００２８】
［写真シール作成装置の外観構成］
図２は、画像生成装置としての写真シール作成装置１の外観の構成例を示す斜視図である。
【００２９】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００３０】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３１】
図２に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３２】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３３】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３４】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図示せず）から構成される。
【００３５】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３６】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。
【００３７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３８】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００３９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４０】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４１】
図２に示す編集部１２の構成を正面側の構成とすると、２組の利用者が同時に編集処理を行うことができるように、編集部１２の正面側と背面側には編集処理に用いられる構成がそれぞれ設けられる。
【００４２】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図３）が設けられる。
【００４３】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４４】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４５】
図３は、写真シール作成装置１を別の角度から見た斜視図である。
【００４６】
事後接客部１３は事後接客処理を利用者に行わせる装置である。事後接客処理には、撮影画像や編集済みの画像を携帯電話機などの携帯端末２や管理サーバ３に送信する処理、ミニゲームを利用者に行わせる処理、アンケートに答えさせる処理などが含まれる。
【００４７】
図３に示すように、事後接客部１３は、所定の厚さを有する板状の筐体をその一部として有しており、残りの部分は編集部１２の左側面と一体に設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４８】
ここで、写真シール作成ゲームの流れと、それに伴う利用者の移動について図４を参照して説明する。図４は、写真シール作成装置１を上から見た平面図である。
【００４９】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５０】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５１】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５２】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５３】
画像の印刷が終了したとき、利用者は、事後接客部１３に設けられた排出口からシール紙を受け取り、一連の写真シール作成ゲームを終えることになる。
【００５４】
次に、各装置の構成について説明する。
［撮影部の構成］
【００５５】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５６】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００５７】
正面パネル４１のほぼ中央には撮影・表示ユニット８１が設けられる。撮影・表示ユニット８１は、カメラ９１、正面ストロボ９２、およびタッチパネルモニタ９３から構成される。
【００５８】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５９】
カメラ９１を囲むように発光面が設けられた正面ストロボ９２は、他のストロボと同様にカメラ９１による撮影に合わせて発光し、被写体としての利用者の顔付近を正面から照射する。
【００６０】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００６１】
正面パネル４１には、撮影・表示ユニット８１の位置を基準として、上方に上ストロボ８２が設置される。また、左方に左ストロボ８３が設置され、右方に右ストロボ８４が設置される。
【００６２】
上ストロボ８２は、利用者を上前方から照射する。左ストロボ８３は、利用者を左前方から照射し、右ストロボ８４は、利用者を右前方から照射する。
【００６３】
ベース部４３には利用者の足元を照射する足元ストロボ８６も設けられる。上ストロボ８２、左ストロボ８３、右ストロボ８４、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影処理の内容に応じて適宜調整される。
【００６４】
足元ストロボ８６の右側には、利用者がお金を投入する硬貨投入返却口８７が設けられる。
【００６５】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６６】
［背景部の構成］
図６は、背景部２２の撮影空間Ａ１側の構成例を示す図である。
【００６７】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６８】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００６９】
［編集部の構成］
図７は、編集部１２の正面側（編集空間Ａ２−１側）の構成例を示す図である。
【００７０】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７１】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７２】
編集部１２の左側には事後接客部１３が設けられる。
【００７３】
［事後接客部の構成］
図８は、事後接客部１３の正面側の構成例を示す図である。
【００７４】
事後接客部１３の上方中央にはタブレット内蔵モニタ１６１が設けられる。タブレット内蔵モニタ１６１は、利用者の指などによって操作入力が可能なタブレットがLCDなどのモニタに重畳して設けられることによって構成される。タブレット内蔵モニタ１６１には、ミニゲームなどの事後接客処理に用いられる画面が表示される。
【００７５】
タブレット内蔵モニタ１６１の下にはスピーカ１６２が設けられ、スピーカ１６２の下にはシール紙排出口１６３が設けられる。
【００７６】
スピーカ１６２は、事後接客処理の案内音声、BGM、効果音等の音を出力する。
【００７７】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７８】
［写真シール作成装置の内部構成］
次に、写真シール作成装置１の内部構成について説明する。図９は、写真シール作成装置１の内部の構成例を示すブロック図である。上述した構成と同じ構成には同じ符号を付してある。重複する説明については適宜省略する。
【００７９】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００８０】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００８１】
通信部２０３は、インターネットなどのネットワークのインタフェースであり、制御部２０１による制御に従って外部の装置と通信を行う。
【００８２】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８３】
ROM２０６には、制御部２０１において実行されるプログラムやデータが記憶されている。RAM２０７は、制御部２０１が処理するデータやプログラムを一時的に記憶する。
【００８４】
撮影部２０８は、撮影空間Ａ１における撮影処理を行う構成である硬貨処理部２２１、背景制御部２２２、照明装置２２３、カメラ９１、タッチパネルモニタ９３、およびスピーカ２２４から構成される。
【００８５】
硬貨処理部２２１は、硬貨投入返却口８７に対する硬貨の投入を検出する。硬貨処理部２２１は、例えば４００円などの所定の金額分の硬貨が投入されたことを検出した場合、そのことを表す起動信号を制御部２０１に出力する。
【００８６】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８７】
照明装置２２３は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、足元ストロボ８６と、背景部２２に設けられる背面中央ストロボ１０１、背面左ストロボ１０２、背面右ストロボ１０３が設けられている。
【００８８】
また、照明装置２２３は、制御部２０１による制御に従って発光量を調整することによって、利用者が行っている撮影作業の段階に応じて撮影空間Ａ１内の明るさを調整する。
【００８９】
カメラ９１は、制御部２０１による制御に従って撮影を行い、撮影によって得られた画像を制御部２０１に出力する。
【００９０】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９１】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９２】
事後接客部２１０は、事後接客空間Ａ３における事後接客処理を行う構成であるタブレット内蔵モニタ１６１、スピーカ１６２、印刷処理を行う構成であるプリンタ２４１、およびシール紙ユニット２４２から構成される。
【００９３】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【００９４】
［制御部の構成］
次に、制御部２０１について説明する。図１０は、制御部２０１がROM２０６などに格納されているプログラムを実行することにより実現される機能ブロックの構成例を示している。
【００９５】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【００９６】
つまり、制御部２０１は、写真シール作成ゲームの各工程に関する処理の制御を行う。
【００９７】
［編集処理部および事後接客処理部の構成］
図１１は、図１０の編集処理部３０２および事後接客処理部３０４のさらに詳細な構成例を示す機能ブロック図である。
【００９８】
図１１の例において、編集処理部３０２は、撮影画像編集部３１１、SNS用画像生成部３１２、情報取得部３１３、およびSNS用画像編集部３１４を含むように構成される。
【００９９】
撮影画像編集部３１１は、カメラ９１により撮影された画像である撮影画像に対する落書き編集などを行う。
【０１００】
SNS用画像生成部３１２は、カメラ９１により撮影された画像である複数の撮影画像と、情報取得部３１３により取得される所定情報とを用いてSNS用画像を生成する。すなわち、SNS用画像生成部３１２は、図示しないが、複数の撮影画像を組み合わせる組み合わせ部、組み合わせ部により組み合わせられた複数の撮影画像に、所定情報を付加する情報付加部、組み合わされた撮影画像および付加された所定情報に基づいて、SNS用画像を生成する画像生成部を有しており、画像生成部により生成されたSNS用画像やそのサムネイル画像を表示させる。
【０１０１】
SNS用画像とは、撮影後自動生成される画像であり、SNS(Social Networking Service)やミニブログ、ブログのサービスなど、近況を報告するサービス（コミュニティともいう）を提供するサイトに投稿するための画像である。
【０１０２】
SNS用画像生成部３１２は、生成したSNS用画像に関する情報として、SNS用画像を構成する複数の撮影画像と、SNS用画像を構成する所定情報およびデザイン画像などとを記憶部２０２に保存する。
【０１０３】
情報取得部３１３は、編集画面においてユーザに入力された情報や、写真シール作成装置１におけるゲーム情報、メンテナンス画面で設定されている情報など、所定情報を取得し、取得した情報を、SNS用画像生成部３１２に供給する。
【０１０４】
所定情報とは、例えば、利用者本人の名前と一緒に撮影している相手の名前の情報、写真シール作成装置１の設置場所の情報、写真シール作成装置１の機種名の情報、および日時の情報などである。
【０１０５】
例えば、SNS用画像生成までに、例えば、撮影前、撮影後、および編集前に編集画面における左右において入力された名前情報が、利用者本人の名前、一緒に撮影している相手の名前として取得される。例えば、メンテナンス画面において店舗側の設定情報として設定されている情報が、地域情報として取得される。例えば、写真シール作成装置１の設定情報から、機種名の情報が取得される。例えば、写真シール作成装置１において、撮影した日時や、SNS用画像が生成された日時、管理サーバ３へ保存された日時などが、日時情報として取得される。
【０１０６】
また、SNS用画像は、他の撮影画像のサムネイル画像と同じように、SNS用画像のサムネイル画像が編集画面に表示されて、そのサムネイル画像が選択されることで、編集が可能である。
【０１０７】
情報取得部３１３は、編集画面においてSNS用画像に用いられた情報が変更された場合、その変更された情報を取得し、取得した情報をSNS用画像編集部３１４に供給する。
【０１０８】
SNS用画像編集部３１４は、情報取得部３１３からの情報に対応して、SNS用画像生成部３１２により生成されたSNS用画像を編集し、編集したSNS画像やそのサムネイル画像を表示させるとともに、記憶部２０２に保存されているSNS用画像に関する情報を変更する。
【０１０９】
事後接客処理部３０４は、SNS用画像取得部３３１および送信制御部３３２を含むように構成されている。
【０１１０】
SNS用画像取得部３３１は、記憶部２０２にSNS用画像に関する情報として記憶されている複数の撮影画像、所定情報、およびデザイン画像などの情報を取得し、取得したSNS用画像に関する情報を、送信制御部３３２に供給する。
【０１１１】
送信制御部３３２は、管理サーバ３へのSNS用画像に関する情報の送信制御を行う。
【０１１２】
［管理サーバの構成例］
図１２は、画像提供装置としての管理サーバ３の構成例を示すブロック図である。
【０１１３】
CPU(Central Processing Unit)４１１、ROM４１２、RAM４１３は、バス４１４により相互に接続される。
【０１１４】
バス４１４には、さらに、入出力インタフェース４１５が接続される。入出力インタフェース４１５には、キーボード、マウスなどよりなる入力部４１６、ディスプレイ、スピーカなどよりなる出力部４１７が接続される。また、入出力インタフェース４１５には、ハードディスクや不揮発性のメモリなどより構成され、各種の情報を記憶する記憶部４１８、ネットワークインタフェースなどより構成され、写真シール作成装置１や携帯端末２と通信を行う通信部４１９、リムーバブルメディア４２１を駆動するドライブ４２０が接続される。
【０１１５】
記憶部４１８には、写真シール作成装置１から送信されてきたSNS用画像の情報、その画像を管理するための画像管理情報、管理サーバ３が管理する各種のサイトの情報などが記憶される。
【０１１６】
図１３は、管理サーバ３の機能構成例を示すブロック図である。図１３に示す機能部のうちの少なくとも一部は、図１２のCPU４１１により所定のプログラムが実行されることによって実現される。管理サーバ３においては、画像管理部４３１、画像生成部４３２、編集処理部４３３、およびサービス提供部４３４が実現される。
【０１１７】
画像管理部４３１は、写真シール作成装置１からSNS用画像に関する情報として送信されてきた複数の撮影画像、所定情報、デザイン画像を、画像管理情報に基づいて、記憶部４１８に保存、管理する。
【０１１８】
画像生成部４３２は、記憶部４１８に管理されている、利用者の携帯端末２によりアクセスされたSNS用画像としての複数の撮影画像、所定情報、およびデザイン画像を基に、SNS用画像を生成し、生成されたSNS用画像をサービス提供部４３４に供給する。すなわち、画像生成部４３２は、写真シール作成装置１において生成されたSNS用画像を再構成する。
【０１１９】
編集処理部４３３は、携帯端末２に提供したSNS用画像に対して、利用者の操作に応じて編集が指示された場合、編集処理を行い、編集処理後のSNS用画像としての複数の撮影画像、所定情報、およびデザイン画像を更新する。
【０１２０】
サービス提供部４３４は、各種のサイトを管理し、サイトにアクセスしてきた携帯端末２に対して各種のサービスを提供する。例えば、サービス提供部４３４は、サイトにアクセスしてきた携帯端末２に対して、画像生成部４３２により生成されて得られたSNS用画像、または編集処理部４３３により編集されたSNS用画像を、携帯端末２に提供（送信）する。
【０１２１】
［携帯端末の構成例］
図１４は、携帯端末２の構成例を示すブロック図である。
【０１２２】
携帯端末２は、制御部４４１、アンテナ４４２、通信部４４３、記憶部４４４、表示部４４５、非接触型IC４４６、および操作部４４７から構成される。
【０１２３】
制御部４４１は、CPU，ROM，RAMなどよりなり、所定のプログラムを実行し、携帯端末２の全体の動作を制御する。例えば、制御部４４１は、通信部４４３を制御して管理サーバ３と通信を行い、写真シール作成装置１が非接触型ICリーダ／ライタを備える場合には、非接触型IC４４６を制御して写真シール作成装置１と通信を行う。
【０１２４】
通信部４４３は、基地局から送信された電波が受信されることに応じてアンテナ４４２から供給された信号の復調処理を行い、復調処理を行うことによって得られた情報を制御部４４１に出力する。また、通信部４４３は、制御部４４１から供給された情報に対して変調処理を施し、得られた信号をアンテナ４４２から送信する。
【０１２５】
記憶部４４４はフラッシュメモリなどよりなり、携帯端末ID（Identifier）、メールアドレス、管理サーバ３からダウンロードされた携帯送信用画像などの各種の情報を記憶する。
【０１２６】
表示部４４５はLCDなどよりなり、各種の情報を表示する。例えば表示部４４５には、管理サーバ３から送信され、通信部４４３において受信されたSNS用画像が表示される。
【０１２７】
非接触型IC４４６は、写真シール作成装置１が非接触型ICリーダ／ライタを備えている場合に、その非接触型ICリーダ／ライタとの通信可能範囲にあるとき、非接触型ICリーダ／ライタと近接通信を行う。
【０１２８】
操作部４４７は、各種のボタンや表示部４４５に重ねて設けられたタッチパネルより構成され、利用者の操作の内容を表す信号を制御部４４１に出力する。
【０１２９】
［写真シール作成装置のSNS用画像生成編集処理について］
ここで、図１５を参照して、写真シール作成装置１の編集処理部３０２によって実行されるSNS用画像生成編集処理について説明する。図１５のSNS用画像生成編集処理は、図２４を参照して後述する写真シール作成ゲームにおける編集処理の中で行われる。
【０１３０】
ステップＳ１１において、SNS用画像生成部３１２（の組み合わせ部）は、カメラ９１により撮影された画像である複数の撮影画像を取得し、取得した複数の撮影画像を組み合わせる。例えば、総撮影画像６枚は、アップ画像４枚と全身画像２枚で構成され、そのうち、アップ画像４枚と全身画像１枚が取得される。また、総撮影画像６枚すべてがアップ画像のとき、すべてが取得される。なお、取得される撮影画像の枚数は、上述した枚数に限らない。また、例えば、利用者が撮影画像から自由に選択可能としてもよい。
【０１３１】
ステップＳ１２において、情報取得部３１３は、写真シール作成装置１において予め設定されている情報や入力されている情報から、所定情報を取得し、取得した情報を、SNS用画像生成部３１２に供給する。
【０１３２】
例えば、SNS用画像生成までに、例えば、撮影前、撮影後、および編集前に編集画面における左右において入力された名前情報が、利用者本人の名前、一緒に撮影している相手の名前として取得される。例えば、メンテナンス画面において店舗側の設定情報として設定されている情報が、地域情報として取得される。例えば、写真シール作成装置１の設定情報から、機種名の情報が取得される。例えば、写真シール作成装置１において、撮影した日時や、SNS用画像が生成された日時、管理サーバ３へ保存された日時などが、日時情報として取得される。
【０１３３】
なお、撮影画像に合成する合成用画像を選択する際や、編集前、編集時に選択された合成用画像に応じた情報である用途情報（例えば、カラオケ、ショッピング、女子会、ごはん会などのような合成用画像の情報）も取得されるようにしてもよい。例えば、カラオケの背景や前景となる画像を選択した場合、SNS用画像に「カラオケしたよ！」の文字が自動で入るようにしたり、管理サーバ３では、用途情報毎に画像が保存されるようにしてもよい。
【０１３４】
ステップＳ１３において、SNS用画像生成部３１２（の情報付加部）は、ステップＳ１２により取得された所定情報を、ステップＳ１１により組み合わされた複数の撮影画像に付加する。
【０１３５】
ステップＳ１４において、SNS用画像生成部３１２（の画像生成部）は、ステップＳ１１により組み合わされた複数の撮影画像と、ステップＳ１３により付加された所定情報とを用いてSNS用画像を生成する。生成されたSNS用画像は、他の撮影画像のサムネイル画像と同じように、SNS用画像のサムネイル画像が編集画面に表示されて、そのサムネイル画像が選択されることで、編集画面に表示され、編集が可能である。
【０１３６】
また、ステップＳ１５において、SNS用画像生成部３１２は、生成したSNS用画像に関する情報として、SNS用画像を構成する複数の撮影画像と、SNS用画像を構成する所定情報およびデザイン画像などとを、記憶部２０２に保存する。
【０１３７】
情報取得部３１３は、ステップＳ１６において、SNS用画像に対する編集が行われたか否かを判定する。SNS用画像に対する編集が行われたと判定された場合、編集画面においてSNS用画像に用いられた情報が変更されるので、情報取得部３１３は、その変更された情報をSNS用画像編集部３１４に供給し、処理は、ステップＳ１７に進む。
【０１３８】
SNS用画像編集部３１４は、ステップＳ１７において、情報取得部３１３からの情報に対応して、SNS用画像生成部３１２により生成されたSNS用画像を編集する。これに応じて、編集画面には、編集したSNS画像やそのサムネイル画像が表示される。
【０１３９】
SNS用画像編集部３１４は、ステップＳ１８において、記憶部２０２に保存されているSNS用画像に関する情報を変更される。
【０１４０】
ステップＳ１６において、SNS用画像に対する編集が行われなかったと判定された場合、SNS用画像生成編集処理は終了する。
【０１４１】
［編集画面の例］
図１６は、編集画面の一部の例を示す図である。
【０１４２】
図１６の例において、編集画面５０１の左側部分が示されている。すなわち、編集画面５０１には、２つの画像表示部が構成されているが、図１６の例においては、説明の便宜上、画像表示部５１１が設けられている左側部分しか示されていない。
【０１４３】
編集画面５０１には、画像表示部５１１、サムネイル画像５２１−１乃至５２１−６、サムネイル画像５２２、終了ボタン５２３、全身画像変更ボタン５２４、消しゴムボタン５２５、およびペンの太さ変更ボタン５２６が表示されている。また、編集画面５０１には、最初からボタン５２７、１セット戻るボタン５２８、進むボタン５２９、戻るボタン５３０、携帯用画像作成ボタン５３１、および一発らくがき作成ボタン５３２、編集中のコンテンツ名５３３、およびコンテンツパレット５３４が表示されている。
【０１４４】
画像表示部５１１は、左側の利用者により編集が行われる画像を表示する。図１６の例においては、左側の利用者によりサムネイル画像５２２が選択されることで、SNS用サムネイル画像５２２に対応するSNS用画像５１２が表示されている。
【０１４５】
SNS用画像５１２は、撮影画像のうち、アップ画像４枚と全身画像１枚が組み合わされて生成されている。SNS用画像５１２においては、複数の画像（アップ画像４枚と全身画像１枚）を、SNS用画像としてベストな配置（見やすい配置）に組み合わせることができる。SNS用画像５１２についての詳細は、図２０を参照して後述される。
【０１４６】
サムネイル画像５２１−１乃至５２１−６は、撮影画像に対応して、画像表示部５１１の上部に表示されており、編集を行う撮影画像を選択するためのサムネイル画像である。
【０１４７】
また、サムネイル画像５２１−６の隣には、SNS用サムネイル画像５２２も並んでいる。SNS用サムネイル画像５２２は、サムネイル画像５２１−１乃至５２１−６と同様に、利用者により選択されることで、SNS用サムネイル画像５２２に対応するSNS用画像５１２が画像表示部５１１に表示されて、SNS用画像５１２が編集可能となる。
【０１４８】
なお、サムネイル画像５２１−３および５２１−６の下部には、らくがき済を示す画像が重畳されている。図１６の例においては、サムネイル画像５２１−５として、選択中を示す文字と右側を指し示す指の画像しか示されていないが、実際には、サムネイル画像５２１−５には、選択中を示す文字と右側を指し示す指の画像が重畳されている。これを見ることで、利用者は、右側の図示せぬ画像表示部に、サムネイル画像５２１−５に対応する撮影画像が表示され、その画像が編集中であることがわかる。
【０１４９】
図１６の例においては、SNS用サムネイル画像５２２として、選択中を示す文字と右側を指し示す指の画像しか示されていないが、実際には、SNS用サムネイル画像５２２には、選択中を示す文字と左側を指し示す指の画像が重畳されている。これを見ることで、利用者は、左側の画像表示部５１１に、サムネイル画像５２２に対応する撮影画像が表示され、その画像が編集中であることがわかる。
【０１５０】
終了ボタン５２３乃至戻るボタン５３０は、画像表示部５１１の右側に表示さている。終了ボタン５２３は、全ての編集処理を終わる指示を入力するためのボタンである。全身画像変更ボタン５２４は、SNS用サムネイル画像に組み合わされている撮影画像のうちの全身画像を他の全身画像に置き換えるためのボタンである。なお、撮影画像の総枚数が、アップ画像４枚と全身画像２枚のときのみ、全身画像の変更が可能である。
【０１５１】
なお、上記説明においては、アップ画像４枚と全身画像２枚の場合の例を説明したが、全身画像が２枚以上の複数枚であった場合には、全身画像の変更が可能である。
【０１５２】
消しゴムボタン５２５は、画像に行ったスタンプ押下やペン描画を消すためのボタンである。ペンの太さ変更ボタン５２６は、ペン描画の際に、ペンの太さを大、中、小と変更するためのボタンである。なお、消しゴムボタン５２５は、ペンの太さ変更ボタン５２６のように、消しゴムの太さを表す大、中、小のボタン構成としてもよい。
【０１５３】
最初からボタン５２７は、画像表示部５１１に表示されている画像に行った全ての編集を取り消して最初から再度行うためのボタンである。１セット戻るボタン５２８は、画像表示部５１１に表示されている画像に行った１セットの編集を取り消すためのボタンである。
【０１５４】
進むボタン５２９は、戻るボタン５３０で取り消した編集を再度行うためのボタンである。戻るボタン５３０は、画像表示部５１１に表示されている画像に行った直前の編集を取り消すためのボタンである。
【０１５５】
携帯用画像作成ボタン５３１、および一発らくがき作成ボタン５３２は、画像表示部５１１の左側に表示されている。携帯用画像作成ボタン５３１は、携帯電話機などの待ち受け用の画像を作成するためのボタンである。一発らくがき作成ボタン５３２は、画像表示部５１１に表示されている画像に対して最適な編集を、ボタン押下だけで自動で行わせるためのボタンである。
【０１５６】
なお、上記説明においては、携帯用画像作成用ボタン５３１で作成される画像は、携帯電話機などの待ち受け用画像であると説明した。しかしながら、それに限らず、携帯電話機や携帯端末などで使用できる画像（例えば、デコメ（登録商標）画像などのような、メールに用いられる絵文字や装飾、アニメーションGIFなど）やブログ用の画像など）を生成することができる。
【０１５７】
編集中のコンテンツ名５３３とコンテンツパレット５３４とは、画像表示部５１１の下部に表示されている。
【０１５８】
編集中のコンテンツ名５３３は、画像表示部５１１で編集されているコンテンツの種類が示される。コンテンツパレット５３４は、画像を編集するためのツールなどが表示されるパレットであり、図１６の例において、コンテンツパレット５３４は、画像表示部５１１にSNS用画像５１２が表示されているため、SNS用画像に対応した構成となっている。すなわち、編集中のコンテンツ名５３３は、コンテンツパレット５３４がSNS用画像に対応した構成であることを利用者に明示するものである。なお、編集中のコンテンツ名５３３は、通常の撮影画像への編集時には、「通常用のらくがき」などの表示に切り替わる。
【０１５９】
コンテンツパレット５３４において、その上部には、デザイン変更用タブ５４１、スタンプ用タブ５４２、およびペン用タブ５４３が表示されている。
【０１６０】
デザイン変更用タブ５４１は、SNS用画像において、組み合わされた撮影画像の背景（または前景）となるデザインを変更する際に選択され、図１６に示されるように、コンテンツパレット５３４の下部には、複数のデザインが表示される。利用者がいずれかのデザインを選択した場合、画像表示部５１１に表示されたSNS用画像５１２は、利用者により選択されたデザインに変更される。
【０１６１】
スタンプ用タブ５４２は、スタンプを用いて編集する際に選択され、その際、図示しないが、コンテンツパレット５３４において、その下部には、例えば、顔消しスタンプが表示され、利用者は、それを選択することで、選択中のスタンプを使った編集を行うことができる。
【０１６２】
なお、顔消しスタンプについて、押下したところに不透明のスタンプを貼り付けるようにするが、それ以外にも、顔認識により押下した顔部分に不透明のスタンプを貼り付けるようにしてもよい。さらに、同じ人全ての撮影画像に対して、一括で不透明のスタンプが貼り付けられるようにしてもよい。
【０１６３】
また、顔消しスタンプ以外にもスタンプ画像があるが、画像表示部５１１において、画像と別の画像をまたがってスタンプ押下されたとしても、編集可能な画像部分にしかスタンプ画像が貼りつかない。すなわち、画像と画像の中央にハート型のスタンプが押下された場合、片側の編集対象の画像のみにしか半分のハート型のスタンプ画像が貼りつかない。
【０１６４】
ペン用タブ５４３は、ペンを用いて編集する際に選択され、その際、図示しないが、コンテンツパレット５３４の下部には、さまざまな形状のペンツールが表示され、利用者は、所望のペンを選択することで、選択中のペンを使った編集を行うことができる。
【０１６５】
なお、画像をまたがってペン描画された場合、画像表示部５１１において編集対象の画像部分のみにペン描画が表示される。
【０１６６】
すなわち、スタンプ用タブ５４２およびペン用タブ５４３を用いた編集では、画像をまたがって編集できないため、それを利用者に明示するように、画像表示部５１１において、編集している画像区分にアンカー表示を行ってもよいし、編集している画像区分以外をグレースケール表示してもよい。また、画像表示部５１１において、編集したい画像区分を選択すると、選択された画像区分が中央にポップアップ表示されるようにしてもよい。
【０１６７】
コンテンツパレット５３４の右側には、地域変更ボタン５４４、名前修正ボタン５４５、および名前入れ替えボタン５４６が表示されている。
【０１６８】
地域変更ボタン５４４は、メンテナンス画面において設定されている写真シール作成装置１の設置場所の情報（すなわち、地域情報）のうち狭域地域を、ユーザが変更するためのボタンである。図１６の例においては、渋谷、東京の地域が表示されている。なお、ここでは、地域情報のデフォルトが変更されるのではなく、現在編集中のSNS用画像５１２に用いられる地域情報が変更される。
【０１６９】
名前修正ボタン５４５は、編集前までに入力済みの利用者本人の名前、一緒に撮影している相手の名前を変更するためのボタンである。名前入れ替えボタン５４６は、編集前までに入力済みの利用者本人の名前と、一緒に撮影している相手の名前とを入れ替えるためのボタンである。
【０１７０】
なお、図１６の編集画面の例においては、画像表示部５１１に表示されているSNS用画像５１２における画像の変更としては、全身画像変更ボタン５２４しか示されていないが、次のようにしてもよい。
【０１７１】
例えば、SNS用画像５１２において、全身画像やアップ画像を６枚もしくは５枚など選択できるようにした場合、コンテンツパレット５３４内、もしくは、タブに、「画像を変更できるボタン」を設定し、それを選択すると、撮影画像が表示され、編集画面５０１、もしくはコンテンツパレット５３４内にSNS用画像５１２のサムネイル画像を表示させ、変更したいサムネイル画像にアンカー表示して変更できるようにしてもよい。これにより、同じ画像をたくさん選択できたり、利用者の好きな画像を選択し組み合わせることができる。
【０１７２】
また、全身画像のみの変更の場合、全身画像の２枚のみを表示し、いずれか一方を選択できるようにしてもよい。
【０１７３】
［編集画面の他の例］
図１７は、編集画面の一部の他の例を示す図である。
【０１７４】
図１７の例において、編集画面５５１の左側部分が示されている。なお、図１７の例において、図１６の例と同じ部分には同じ符号が付してあり、その説明は繰り返しになるので、適宜省略される。
【０１７５】
編集画面５５１は、SNS用画像編集画面５５１Ａ、サムネイル画像５２１−１乃至５２１−６、サムネイル画像５２２、および終了ボタン５２３で構成されている。図１７の例においては、左側の利用者によりSNS用サムネイル画像５２２が選択されることで、SNS用画像編集画面５５１Ａがポップアップ風に表示されている。なお、他のサムネイル画像５２１−１乃至５２１−６のいずれかが選択されることで、例えば、表示は、サムネイル画像５２１に対応する撮影画像を編集する編集画面に戻る。
【０１７６】
SNS用画像編集画面５５１Ａは、SNS用画像編集部５５２とデザイン変更パレット５５３により構成されている。
【０１７７】
SNS用画像編集部５５２には、左側の利用者により編集が行われる画像を表示する画像表示部５１１が配置されている。画像表示部５１１には、左側の利用者によりサムネイル画像５２２が選択されることで、SNS用サムネイル画像５２２に対応するSNS用画像５１２が表示されている。
【０１７８】
SNS用画像５１２は、撮影画像のうち、アップ画像４枚と全身画像１枚が組み合わされて生成されている。SNS用画像５１２においては、複数の画像（アップ画像４枚と全身画像１枚）を、SNS用画像としてベストな配置（見やすい配置）に組み合わせることができる。
【０１７９】
画像表示部５１１の左側の上方には、地域名on/offボタン５６１、撮影地域選択ボタン５６２、名前修正ボタン５６３が配置されている。
【０１８０】
地域名on/offボタン５６１は、撮影地域の表示／非表示を選択するためのボタンである。図１７の地域名on/offボタン５６１においては、onが選択されているが、onを選択した場合、その下に配置されている撮影地域選択ボタン５６２を表示することができ、また、撮影地域選択ボタン５６２により選択されている撮影地域の情報が、SNS用画像５１２に付加される。offを選択した場合、撮影地域選択ボタン５６２は表示されず、また、撮影地域選択ボタン５６２により選択されている撮影地域の情報は、SNS用画像５１２に付加されない。すなわち、地域名on/offボタン５６１の選択に応じて付加される情報を除外することができる。換言するに、付加される情報から、offが選択された情報を除外したり、また、offが選択された情報をonに変更して、付加される情報に再選択したりすることができる。
【０１８１】
なお、図１７の例においては、地域名on/offボタン５６１を備える例を説明したが、SNS用画像５１２に付加される他の情報（例えば、名前）のon/offを選択するボタンを備えることも可能である。
【０１８２】
撮影地域選択ボタン５６２は、予め設定されている撮影地域の２種類の通称（図１７の例においては、渋谷、東京）が表示されるボタンからなり、どちらかの通称を押下することで、その撮影地域の情報が、SNS用画像５１２に付加される。
【０１８３】
名前修正ボタン５６３は、図１６の名前修正ボタン５４５と同様に、編集前までに入力済みの利用者本人の名前、一緒に撮影している相手の名前を変更するためのボタンである。なお、上記説明においては、名前の入力を編集前としたが、編集中に名前入力および修正できる場合も同様に変更するためのこのボタンを表示することができる。
【０１８４】
画像表示部５１１の右側には、SNS用画像５１２に組み合わされている画像の枚数を変更するための枚数変更ボタン５６４が配置されている。
【０１８５】
ここで、撮影コースとして、全身画像を選択するコースと全身画像を選択しないコースがあり、ユーザによって変更可能である。全身画像を選択するコースは、例えば、撮影枚数がアップ画像４枚と全身画像２枚であり、全身画像を選択しないコースは、例えば、撮影枚数がアップ画像６枚である。
【０１８６】
枚数変更ボタン５６４は、撮影枚数がアップ画像４枚と全身画像２枚であるとき、図１７の例に示されるように、５枚または２枚が表示されるボタンとなり、対応するボタンを押下することで、SNS用画像５１２に組み合わせる画像の枚数を、５枚または２枚に変更することができる。なお、枚数変更ボタン５６４は、SNS用画像５１２に組み合わせる画像の枚数を決めるボタンであるので、組み合わせ可能な６乃至１枚の任意の枚数を決めるものでもよい。
【０１８７】
図１７の例においては、枚数変更ボタン５６４の５枚が選択されているため、SNS用画像５１２は、図１８Ａに示されるように、アップ画像４枚と全身画像１枚の構成となる。図１８Ａにおいては、アップ画像４枚と全身画像１枚のSNS用画像５１２が示されている。このとき、全身画像変更ボタン５６５ａが画像表示部５１１の下に表示され、全身画像変更ボタン５６５ａを用いることで、ユーザは、全身画像として、撮影枚数である２枚のうちから、SNS用画像となる１枚を選択することができる。
【０１８８】
枚数変更ボタン５６４の２枚が選択されると、SNS用画像５１２は、図１８Ｂに示されるように、アップ画像１枚と全身画像１枚の構成となる。図１８Ｂにおいては、アップ画像１枚と全身画像１枚のSNS用画像５１２が示されている。このとき、全身画像変更ボタン５６５ａに加えて、アップ画像変更ボタン５６５ｂも、画像表示部５１１の下に表示される。このアップ画像変更ボタン５６５ｂを用いることで、ユーザは、上述した全身画像の選択に加えて、アップ画像として、撮影枚数である４枚のうちから、SNS用画像となる１枚を選択することができる。
【０１８９】
なお、枚数変更ボタン５６４の２枚が選択されると、SNS用画像５１２は、図１８Ｃに示されるように、アップ画像２枚の構成となるようにしてもよい。図１８Ｃにおいては、アップ画像２枚のSNS用画像５１２が示されている。このとき、左画像変更ボタン５６５ｃと右画像変更ボタン５６５ｄが画像表示部５１１の下に表示される。これらの左画像変更ボタン５６５ｃと右画像変更ボタン５６５ｄのいずれかを用いることで、ユーザは、アップ画像として、アップ画像の撮影枚数である４枚のうちから、左側の画像および右側の画像のそれぞれ１枚を選択することができる。
【０１９０】
なお、全身画像を選択しないコースの場合は、図１９に示されるように、枚数変更ボタン５６４は、６枚または２枚が表示されるボタンとなり、対応するボタンを押下することで、SNS用画像５１２に組み合わせる画像の枚数を、６枚または２枚に変更することができる。
【０１９１】
図１９は、SNS用画像編集部５５２の他の例を示す図である。図１９の例においては、６枚が選択されているため、SNS用画像５１２は、アップ画像６枚の構成となっている。このとき、撮影画像がすべてSNS用画像５１２に用いられるため、画像を変更するためのボタンは、画像表示部５１１の下に表示されない。
【０１９２】
また、枚数変更ボタン５６４の２枚が選択されると、SNS用画像５１２は、図１８Ｃを参照して上述したアップ画像２枚の構成となる。このとき、左画像変更ボタン５６５ｃと右画像変更ボタン５６５ｄが画像表示部５１１の下に表示される。これらの左画像変更ボタン５６５ｃと右画像変更ボタン５６５ｄのいずれかを用いることで、ユーザは、アップ画像として、アップ画像の撮影枚数である６枚のうちから、左側の画像および右側の画像のそれぞれ１枚（合計２枚）を選択することができる。なお、左右で同じ画像を選択することも可能である。
【０１９３】
以下、全身画像変更ボタン５６５ａ、アップ画像変更ボタン５６５ｂ、左画像変更ボタン５６５ｃと右画像変更ボタン５６５ｄを、特に区別する必要のない場合、まとめて画像変更ボタン５６５と称する。
【０１９４】
なお、上述した各画像変更は、画像変更ボタン５６５を押下することにより、画像が順次切り替え表示される。また、画面の上部または下部のいずれかに変更可能な対象画像が表示されて、その中から選択して変更するようにしてもよい。
【０１９５】
図１７に戻って、デザイン変更パレット５５３には、SNS用画像５１２において、組み合わされた撮影画像の背景（または前景）となるデザインを変更するための複数のデザイン画像５７１−１乃至５７１−８が配置されたページが表示されている。デザイン画像５７１−１乃至５７１−８は、SNS用画像５１２の組み合わせ画像と背景画像のプレビュー画像となっており、枚数変更ボタン５６４で枚数を変更することで、サムネイル画像もその枚数に対応して変わる。なお、画像は、固定のモデルの画像が用いられるが、固定のモデルの画像でもよいし、ユーザ（被写体）の画像でもよい。
【０１９６】
いま、デザイン画像５７１−１上には、画像表示部５１１に表示されるSNS用画像５１２のデザインとして、デザイン画像５７１−１が選択されていることを示すカーソル５７２が表示されている。
【０１９７】
デザイン画像５７１−１乃至５７１−８の上には、これらのデザイン画像が配置されるページが４枚あることを示すページ表示部５７３が表示されており、そのうち、ページ番号２が、他のページ番号と異なる表示となっており、いま、２枚目のページが表示されていることがわかるようになっている。なお。SNS用画像編集時にデフォルトで表示されるコンテンツパレットとしては、ランダムで表示されるデザインがあるページとする。
【０１９８】
また、デザイン画像５７１−１乃至５７１−８の左側には、戻るボタン５７４が配置されており、デザイン画像５７１−１乃至５７１−８の右側には、次へボタン５７５が配置されている。図１７の例においては、ユーザは、戻るボタン５７４を押下することで、ページ番号１番目のページに表示されるデザイン画像を見ることができる。ユーザは、次へボタン５７５を押下することで、ページ番号３番目のページに表示されるデザイン画像を見ることができる。
【０１９９】
例えば、デザイン画像５７１−１乃至５７１−８のうち、デザイン画像５７１−３は、モノクロのデザイン画像であり、デザイン画像５７１−８は、セピア調のデザイン画像である。デザイン画像５７１−３を選択することで、SNS用画像５１２をモノクロに加工処理することができる。また、デザイン画像５７１−８を選択することで、SNS用画像５１２をセピア調に加工処理することができる。
【０２００】
なお、モノクロやセピア調のデザイン画像を選択することなしに、SNS用画像編集部５５２上に編集ボタンなどを設け、それを押すことで、複数組み合わせた画像であるSNS用画像５１２に対して、モノクロやセピア調などの加工処理を行うことができるようにしてもよい。また、SNS用画像５１２の個々の画像毎に、編集するか否かを選択することができるようにしてもよい。
【０２０１】
また、加工処理としては、モノクロやセピア調に限らず、他のフィルタ処理などであってもよい。
【０２０２】
なお、図１７の例においては、枚数変更ボタン５６４の５枚が選択されているため、デザイン変更パレット５５３のデザイン画像５７１−１乃至５７１−８もそれぞれ５枚の組み合わせ画像で構成される例が示されていた。したがって、枚数変更ボタン５６４の２枚が選択されている場合には、デザイン変更パレット５５３のデザイン画像５７１−１乃至５７１−８は、図１８Ｂの例のSNS用画像５１２のようにそれぞれ２枚の組み合わせ画像に変更される。
【０２０３】
［SNS用画像の例］
図２０は、SNS用画像の例を示す図である。
【０２０４】
図２０の例においては、SNS用画像５１２が示されている。SNS用画像５１２の撮影者用アイコンマーク部に表示される「Akitter」６０１は、利用者本人の名前であり、撮影前、撮影後、および編集前に編集画面における左右において入力された名前情報から取得、引用されている。
【０２０５】
「なつみ」および「NATSUMI」６０２は、一緒に撮影している相手の名前であり、利用者本人の名前と同様に、撮影前、撮影後、および編集前に編集画面における左右において入力された名前情報から取得、引用されている。
【０２０６】
「shibuya,Tokyo,japan」、「shibuya」、および「しぶや」６０３は、地域情報であり、メンテナンス画面において店舗側の設定情報として入力されている情報から取得、引用されている。
【０２０７】
「2012.03.26 mon,1901,19:01」６０４は、例えば、日時情報であり、ゲーム情報である、撮影した日時や、SNS用画像が生成された日時、管理サーバ３へ保存された日時などから取得、引用されている。
【０２０８】
組み合わせ画像６０５は、総撮影画像のうち、アップ画像４枚および全身画像１枚、もしくは、アップ画像５枚または６枚を組み合わせて生成されている。総撮影枚数は、６枚で、アップ画像４枚と全身画像２枚のときには、図１６を参照して上述したように全身画像の変更が可能である。
【０２０９】
なお、総撮影画像６枚がすべてアップ画像である場合、図２１に示されるように、SNS用画像６０７は、すべての撮影画像６枚が用いられて生成される。
【０２１０】
また、図１６のコンテンツパレット５３４を参照して上述したように、SNS用画像５１２のデザインも変更可能である。図２２の例においては、組み合わせられた複数の撮影画像は同じであるが、デザインの異なるSNS用画像６１１乃至６１５が示されている。
【０２１１】
以上のように、SNS用画像は、従来のように、写真シール作成装置１で撮影した画像を管理サーバ３などにアップすることが主目的ではなく、撮影したユーザが友達や知人に「状況を報告する」ことが目的であり、それに伴った情報を提供するための画像である。
【０２１２】
SNS用画像は、図２２に示されたように、「自分ばかりを主張しすぎてない」、「デザインが新しくてかわいい」、「近況報告が書いてある」、「サイトからもアップしやすい」などの理由から、いままで以上に手軽に気軽にサーバにアップ（送信）しやすい画像となる。
【０２１３】
以上により、写真シール作成装置１は、利用者にとってより利便性のある画像を提供することができる。
【０２１４】
［メンテナンス画面の例］
図２３の例においては、写真シール作成装置１の店の設置場所を入力するためのメンテナンス画面６２１が示されている。
【０２１５】
メンテナンス画面６２１には、関東、東北、北陸などの方面を選択するためのプルダウン６２２、都道府県を選択するためのプルダウン６２３、渋谷、銀座、新宿などの地域を選択するためのプルダウン６２４、および店舗名を選択するためのプルダウン６２５が表示されている。
【０２１６】
これらのプルダウン６２２乃至６２５で場所を選択することで、写真シール作成装置１の店の設置場所が入力され、この情報が地域情報として、SNS用画像生成に用いられる。
【０２１７】
なお、店舗名は、プルダウンにしなくてもよく、例えば、手入力や入力させなくてもよい。また、入力させない場合、GPSでの位置情報や起動時にサーバへアクセスされるため、設置場所情報を自動で作成できるようにしてもよい。
【０２１８】
また、上述した以外にも、郵便番号を入力させることにより、地域を設定するようにしてもよい。地域情報による撮影用合成用画像や編集用コンテンツ（地域に特化したスタンプやフレーム、背景や前景など）が表示されるようにしてもよい。さらに、デモ画面において、地域に特化した案内が表示されるようにしてもよい。また、例えば、移設されたことなどで、電源が投入されていない所定時間（例えば、４８時間）があった場合、電源をONにしたときに、この設置場所を入力するためのメンテナンス画面を先に表示させるようにしてもよい。
【０２１９】
［画像提供システムの動作］
次に、図２４のフローチャートを参照して、写真シール作成装置１において得られた画像を、管理サーバ３に送信し、携帯端末２に提供するまでの一連の写真シール作成ゲームの処理について説明する。
【０２２０】
ステップＳ３１において、写真シール作成装置１の撮影処理部３０１は、所定の金額分の硬貨が投入されたか否かを硬貨処理部２２１から供給される信号に基づいて判定し、投入されたと判定するまで待機する。
【０２２１】
ステップＳ３１において、硬貨が投入されたと判定された場合、ステップＳ３２において、撮影処理部３０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。撮影処理において、撮影は複数回行われ、複数枚（例えば６枚）の撮影画像が得られる。
【０２２２】
ステップＳ３３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０２２３】
ステップＳ３４において、編集処理部３０２は、編集空間Ａ２−１と編集空間Ａ２−２のうち、撮影処理を終えた利用者の移動先とした方の編集空間に対応する編集部２０９を制御し、編集処理を行う。具体的には、編集処理部３０２は、編集対象画像として、撮影画像を利用者に選択させ、選択された撮影画像に対して、利用者による編集操作に従って編集を行う。また、このとき、図１５を参照して説明したSNS用画像生成編集処理が実行され、生成された、または編集されたSNS用画像に関する情報が記憶部２０２に保存される。
【０２２４】
ステップＳ３５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０２２５】
ステップＳ３６において、印刷処理部３０３は、利用者により選択された画像をプリンタ２４１に出力してシール紙に印刷させる印刷処理を行う（開始する）。なお、この印刷処理の間、事後接客処理として、タブレット内蔵モニタ１６１にゲームなどが表示されるとともに、次の処理が行われる。
【０２２６】
SNS用画像取得部３３１は、ステップＳ３７において、記憶部２０２にSNS用画像に関する情報として記憶されている複数の撮影画像、所定情報、およびデザイン画像などの情報を取得する。
【０２２７】
ステップＳ３８において、送信制御部３３２は、SNS用画像に関する情報である、複数の撮影画像、所定情報、およびデザイン画像などの情報を、管理サーバ３に送信するように、通信部２０３を制御する。
【０２２８】
なお、SNS用画像に関する情報として記憶され、送信される複数の撮影画像は、組み合わされていてもよいし、別々に記憶され、送信されるようにしてもよい。複数の撮影画像が別々に記憶され、送信される場合、管理サーバ３側で撮影画像の組み換えも容易にできる。また、複数の撮影画像が組み合わされている場合でも、デザイン画像の変更や所定情報の変更などは可能である。
【０２２９】
さらに、撮影画像については、JPEG（Joint Photographic Experts Group）などで圧縮してから送信するようにしてもよい。
【０２３０】
写真シール作成装置１において、印刷が終了すると、ステップＳ３９において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０２３１】
一方、管理サーバ３においては、ステップＳ５１において、通信部４１９が、写真シール作成装置１から送信されてきた複数の撮影画像、所定情報、およびデザイン画像などの情報を受信すると、ステップＳ５２において、画像管理部４３１が、これらの画像に対して保存先URLを割り当て、これらの画像をSNS用画像に関する情報として、写真シール作成装置１から送信されてきた携帯端末２のメールアドレスと対応付けて記憶部４１８に記憶させる。
【０２３２】
ステップＳ５３において、画像管理部４３１は、携帯端末２のメールアドレスに、ステップＳ５２において割り当てたSNS用画像の保存先URLを含む電子メールを送信する。
【０２３３】
携帯端末２においては、ステップＳ７１において、携帯端末２の通信部４４３が、管理サーバ３から送信されてきたSNS用画像の保存先URLを含む電子メールを受信する。
【０２３４】
電子メールの内容を確認した利用者によりSNS用画像へのアクセスが指示された場合、ステップＳ７２において、制御部４４１は、SNS用画像にアクセスするためのアクセス情報である、受信した電子メールに含まれるURLに基づいて管理サーバ３にアクセスし、ダウンロードサイトの画面を表示部４４５に表示させる。
【０２３５】
管理サーバ３においては、ステップＳ５４において、画像管理部４３１は、携帯端末２において表示部４４５に表示されたダウンロードサイトの画面におけるダウンロードボタンが利用者により選択されたこと等による、携帯端末２からのアクセスに応じて、SNS用画像の保存先を指定する。
【０２３６】
ステップＳ５５において、画像管理部４３１は、指定した保存先のSNS用画像に関する情報を読み出し、画像生成部４３２は、写真シール作成装置１において生成されたSNS用画像を再構成し、サービス提供部４３４は、再構築されたSNS用画像を携帯端末２に送信する。なお、SNS用画像が１枚で保存されている場合には、再構築は必要ないのでその処理はスキップされる。
【０２３７】
すなわち、写真シール作成装置１でSNS用画像を生成し、管理サーバ３で保存するようにしてもよいし、管理サーバ３の画像生成部でSNS用画像を再度構築するようにしてもよく、このようにすることで、画像の送信枚数も減り、送信容量が少なくてよい。
【０２３８】
携帯端末２においては、ステップＳ７３において、制御部４４１が、管理サーバ３から送信されてきたSNS用画像を受信し、表示部４４５に表示させる。
【０２３９】
これにより、図２５に示されるように、SNS用画像５１２を閲覧するための表示画面６３１が、携帯端末２の表示部４４５に表示される。
【０２４０】
表示画面６３１において、SNS用画像５１２が表示されており、その下部近傍には、SNS、ミニブログ、またはブログのサービスにアップするための各種の投稿ボタン６３２乃至６３７が表示されている。この投稿ボタン６３２乃至６３７は、例えば、サービス提供部４３４などにより生成されて提供される。
【０２４１】
したがって、利用者は、画面６３１に投稿ボタン６３２乃至６３７のいずれかを押下することで、SNS、ミニブログ、またはブログのサービスのうち、押下されたボタンに対応するサービスに簡単にSNS用画像をアップすることができる。または、簡単に、サービスにアクセスすることができる。
【０２４２】
例えば、図２５において、利用者は投稿ボタン６３４を押下する。これに対応して、サービス提供部４３４は、投稿ボタン６３４が対応するサービスにアクセスし、SNS用画像の保存先URLと所定情報を送信する。
【０２４３】
これに対応して、携帯端末２の表示部４４５には、SNS用画像の保存先URLと所定情報と、コメント入力ウインドウが表示されるので、ユーザは、操作部４４７を操作することで、コメントを入力し、これらの送信を指示する。
【０２４４】
これに対応して、図２６に示されるように、携帯端末２の表示部４４５には、ミニブログサイトの投稿記事６４１が表示される。投稿記事６４１においては、利用者がコメントした「プリなう。」という利用者の入力コメントの他に、SNS用画像５１２の保存URL６４２と、撮影した相手、場所、日時、機種名などの情報６４３が自動で入力される。なお、このとき、「ハッシュタグ」を自動で入力されるようにすることもできる。
【０２４５】
なお、SNS用画像に、情報６４３と同等の情報が含まれているが、コメントとして、情報６４３が表示されることで、近況をより強調することができる。
【０２４６】
以上のように、SNSやブログサイトなどに簡単にSNS用画像を投稿したり、アクセスすることができる。その際、SNS用画像に付加されている所定情報も用いることができる。
【０２４７】
なお、上記説明においては、SNS用画像に関する情報として、複数の撮影画像、所定情報、およびデザイン画像などの情報を別々のデータとして送る例を説明した。この場合、管理サーバ３側では、他のデザイン画像があれば、そのデザイン画像に合わせて、複数の画像と所定情報とを組み合わせて他のSNS用画像を生成することができる。さらに、複数の撮影画像も組み合わせて送ることはもちろん、個別に送ることもでき、この場合、画像の組み換えも簡単に行うことができる。
【０２４８】
一方、別々のデータとして送るのではなく、SNS用画像１枚を送るようにしてもよい。
【０２４９】
さらに、次に説明するように、複数の画像を１ゲーム毎に送信し、管理サーバ３側で、１枚のシール紙風の画像を生成するようにしてもよい。なお、このときも、所定情報は、画像に付加されて送信される。
【０２５０】
［シール紙風の画像の生成方法］
図２７の例においては、管理サーバ３により提供されるサイト(PPPLINK)の表示画面が携帯端末２の表示部４４５に表示されている例が示されている。右側の表示部４４５の上下を指す矢印は、表示画面が上下にスクロール可能であることを示している。なお、図２７以降の図においても同様である。
【０２５１】
表示画面６５１には、例えば、１ゲームで、６枚のアップ画像が撮影され、管理サーバ３に送信され、それらの画像に対応するサムネイル画像が表示されている。さらに、サムネイル画像の下には、シール画作成ボタン６５１ａも表示されている。
【０２５２】
例えば、利用者が操作部４４７を操作することで、このシール画作成ボタン６５１ａを押下すると、表示されていたサムネイル画像が組み合わせて生成されたシール画風画像６５２が表示される表示画面６５３が表示される。
【０２５３】
なお、このシール画風画像６５２は、７枚の画像が用いられているが、７枚目の画像は、６枚を重複して用いるようにしてもよいし、他の画像（他の日に撮影した画像や、同じ日の異なる画像など）を用いるようにしてもよい。
【０２５４】
従来は、撮影した画像を管理サーバ３から１枚ずつ取得して保存し、SNSやブログサイトに応じて、一括でアップしたり、１枚ずつアップしたり、方法が異なっていた。また、友人の出来上がりのよい画像を１枚ずつ見る必要があった。
【０２５５】
これに対して、複数の画像を１ゲーム毎に送信し、管理サーバ３側で、１枚のシール紙風の画像を生成するようにしたので、１ゲーム分の画像をまとめて取得できる。また、SNSやブログサイトによってアップ方法を変えることなく、この１枚のシール紙風の画像を、出来上がりのよい画像としてアップすればよい。また、友人の出来上がりのよい画像も、この１枚のシール風の画像を見ればよい。
【０２５６】
以上のように、撮影画像を簡単に共有することができる。
【０２５７】
［シール紙風の画像の例］
図２８の例においては、シール画風画像６５２と、シール画風画像６６１乃至６６４が示されている。
【０２５８】
シール画風画像６５２およびシール画風画像６６１乃至６６４は、デザインが異なるだけであり、同じ日の同じゲームで得られた画像６枚が組み合わされて生成されたものである。このようにデザインを選択して変更することも可能である。
【０２５９】
また、シール画風画像６５２と、シール画風画像６６１乃至６６４には、撮影した画像以外（背景または前景）に、付加されている所定情報である撮影機種と撮影日時、利用者名、および撮影した相手の名前が記載されている。
【０２６０】
ここで、例えば、図２７の表示画面６５３を下にスクロールすると、図２９に示されるように、シール画風画像６５２の下部に、コメント欄６７１、各種SNSやブログサイトの投稿ボタン６７２、および完了ボタン６７３が表示される。
【０２６１】
この場合も、コメント欄６７１にコメントを入力し、投稿ボタン６７２を押下するだけで、シール画風画像６５２が保存されているURLなどが対応するサービスに送信される。これにより、簡単に外部拡散を行うことができる。
【０２６２】
なお、シール画風画像の場合も、そのシール画風画像に付加されている情報、すなわち、撮影機種、撮影日時、利用者名、撮影した相手の名前などもサービスに送信するようにしてもよい。
【０２６３】
また、上述したSNS用画像やシール画風画像において、組み合わされている複数の撮影画像のうち、いずれかの画像を選択すると、複数の画像の中から選択した１枚の画像に基づいて待ち受け画像を生成し、携帯端末２に提供するようにしてもよい。なお、この場合、SNS用画像やシール画風画像における座標位置情報が用いられる。
【０２６４】
さらに、管理サーバ３において、上述したSNS用画像やシール画風画像を選択した場合、その画像に紐付けされている所定情報（撮影日時、撮影した人、場所など）に応じた画像を検索し、一覧表示するようにしてもよい。
【０２６５】
［管理サーバ３が提供する他の表示画面の例］
次に、図３０を参照して、管理サーバ３が提供するサイト(PPPLINK)の表示画面についてさらに説明する。図３０の例においても、管理サーバ３により提供される表示画面が携帯端末２の表示部４４５に表示されている例が示されている。
【０２６６】
管理サーバ３は、利用者が写真シール作成装置１で撮影し、管理サーバ３に送った複数の撮影画像を閲覧するための４つの表示画面を提供している。
【０２６７】
すなわち、図３０の例においては、左側より、複数の撮影画像に対応するサムネイル画像を保存順に並べた表示画面６８１、複数のサムネイル画像をシール別に並べた表示画面６８２、複数のサムネイル画像を、撮影した写真シール作成装置１の機種別に並べた表示画面６８３が表示されている。なお、各表示画面における上下を指す矢印は、各画面において、上下にスクロール可能なことを示している。
【０２６８】
また、図３１の例においては、さらに、撮影した画像を撮影した日程毎に表示させる、１カ月単位のカレンダ（日時別）の表示画面６８４が表示されている。カレンダ内の撮影日に対応する日の枠にサムネイル画像が表示されている。
【０２６９】
表示画面６８４のカレンダのうち、サムネイル画像が表示されている日にち（例えば、３月１６日）の枠６８４ａを押下すると、表示画面６８４は、「２０１２年３月１６日」に撮影した画像のサムネイル画像を並べた表示画面６８５に遷移する。
【０２７０】
さらに、図３２に示される表示画面６９１において、１つのサムネイル画像６９１ａが利用者により押下されると、表示画面６９１は、画像詳細ページとして、サムネイル画像６９１ａに対応する画像６９３とともに、画像加工ボタン６９４が表示される表示画面６９２に遷移する。
【０２７１】
［管理サーバ３が提供する機能の例］
次に、図３３を参照して、管理サーバ３が提供するサイトの機能の一例としての画像加工について説明する。なお、この画像加工は、図１３の編集処理部４３３により実行される。
【０２７２】
表示画面６９２において、画像加工ボタン６９４を押下すると、表示画面６９２は、画像６９３の編集画面７２１Ａに遷移する。編集画面７２１Ａにおいては、編集対象の画像６９３とともに、切り抜きボタン７２２と決定ボタン７２３が表示されている。
【０２７３】
切り抜きボタン７２２を押下すると、表示画面７２１Ｂに示されるように、画像６９３の明度が低くなり、範囲選択ツール７３１が表示されるので、利用者は、範囲選択ツール７３１を用いて範囲を選択する。この範囲選択により、表示画面７２１Ｃに示されるように、明度の低い画像６９３のうち、選択された範囲７３２の明度は高くなる。選択された範囲７３２でよければ、決定ボタン７２３を押下することで、画像６９３が切り抜かれ、表示画面７２１Ｄに示されるように、切り抜かれた画像７４１が表示される。
【０２７４】
そして、さらに、決定ボタン７２３を押下すると、表示画面７２１Ｅに示されるように、管理サーバ３に保存するボタン７４２と、携帯端末２のカメラロールに保存するボタン７４３が表示される。
【０２７５】
以上のようにして、管理サーバ３が提供するサイトにおいて、撮影画像に対して、簡単に切り抜きの編集を行うことができる。
【０２７６】
次に、図３４を参照して、管理サーバ３が提供するサイトの機能の例として、毎月実施される投稿コンテストについて説明する。
【０２７７】
表示画面７５１に示されるように、投稿コンテストとは、携帯端末２のメールアプリケーション（メーラ）を起動し、マシーンＣ（写真シール作成装置１の機種名）で撮った撮影画像を添付して送り、メーカによる選定または投票を行うことで、入賞作品には賞品が贈られたり、入賞作品を紹介したりする機能である。
【０２７８】
表示画面７５１に設けられる過去の入賞作品へのリンク７５２を押下すると、表示画面７５１は、過去の入賞作品が並べられる表示画面７５３に遷移し、優秀な撮影画像を見ることができる。
【０２７９】
また、管理サーバ３のサイトにおいては、図３５の表示画面７６１に示されるように、写真シール作成装置１の各機種を紹介するページとその機種が設置されるお店の情報が提供される。
【０２８０】
また、紹介ページにおけるオリジナル壁紙ボタン７６２を押下することで、機種別のオリジナルの壁紙７７１および７７２などが無料配布（ダウンロード）される。
【０２８１】
なお、上記説明においては、SNS用画像やシール画風画像に複数の撮影画像を用いる例を説明したが、撮影画像に限ることなく、例えば、写真シール作成装置１においてスタンプ画やペン描画などで編集済みの編集画像を用いるようにすることも可能である。
【０２８２】
また、上述した説明において、SNS用画像や撮影画像は、携帯端末に送信されるものとしたが、携帯端末に限らず、パーソナルコンピュータ等の、利用者が所有する端末装置に送信されるようにすることができる。
【０２８３】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２８４】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２８５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２８６】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【符号の説明】
【０２８７】
１  写真シール作成装置
２  携帯端末
３  管理サーバ
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
３１１  撮影画像編集部
３１２  SNS用画像生成部
３１３  情報取得部
３１４  SNS用画像取得部
３３１  SNS用画像選択部
３３２  送信制御部
【図１】
2014026638.tif 000003
【図２】
2014026638.tif 000004
【図３】
2014026638.tif 000005
【図４】
2014026638.tif 000006
【図５】
2014026638.tif 000007
【図６】
2014026638.tif 000008
【図７】
2014026638.tif 000009
【図８】
2014026638.tif 000010
【図９】
2014026638.tif 000011
【図１０】
2014026638.tif 000012
【図１１】
2014026638.tif 000013
【図１２】
2014026638.tif 000014
【図１３】
2014026638.tif 000015
【図１４】
2014026638.tif 000016
【図１５】
2014026638.tif 000017
【図１６】
2014026638.tif 000018
【図１７】
2014026638.tif 000019
【図１８】
2014026638.tif 000020
【図１９】
2014026638.tif 000021
【図２０】
2014026638.tif 000022
【図２１】
2014026638.tif 000023
【図２２】
2014026638.tif 000024
【図２３】
2014026638.tif 000025
【図２４】
2014026638.tif 000026
【図２５】
2014026638.tif 000027
【図２６】
2014026638.tif 000028
【図２７】
2014026638.tif 000029
【図２８】
2014026638.tif 000030
【図２９】
2014026638.tif 000031
【図３０】
2014026638.tif 000032
【図３１】
2014026638.tif 000033
【図３２】
2014026638.tif 000034
【図３３】
2014026638.tif 000035
【図３４】
2014026638.tif 000036
【図３５】
2014026638.tif 000037